(57)【要約】【課題】  組み立てが容易であり、内部の機密性が高いカメラを得る。【解決手段】  カメラは、光透過性材料で形成された第一のケース、第一のケースに接合されて該第一のケースとともに収納空間を形成する、光吸収性材料又は光反射性材料で形成された第二のケース、第二のケースに配置されたレンズ、及び収納空間に配置され、レンズから入射した光を受光する撮像素子、を有するカメラ本体と、第一のケースの全体を覆うように形成された遮光部材と、を備える。【選択図】図３
2020150475.tif 000002
【特許請求の範囲】
【請求項１】
光透過性材料で形成された第一のケース、
前記第一のケースに接合されて該第一のケースとともに収納空間を形成する、光吸収性材料又は光反射性材料で形成された第二のケース、
前記第二のケースに配置されたレンズ、及び
前記収納空間に配置され、前記レンズから入射した光を受光する撮像素子、
を有するカメラ本体と、
前記第一のケースの全体を覆うように形成された光を遮る遮光部材と、
を備えるカメラ。
【請求項２】
前記第一のケースと前記第二のケースとがレーザ溶着されている
請求項１に記載のカメラ。
【請求項３】
前記遮光部材は、光吸収性材料で形成されるか、又は樹脂材料を用いて形成された成形体の外表面及び内表面の少なくとも一方の全面に遮光層が形成されている
請求項１または２に記載のカメラ。
【請求項４】
前記遮光部材は、
正面側に開口を有し、前記カメラ本体が挿入可能に形成されたカメラ挿入部と、
前記カメラ挿入部と交差する方向にはみだすように張り出して形成された鍔部と、
前記鍔部から後方に向けて突出した突出部、及び前記突出部の外側面に設けられた係合部を有する取付部と、
を備える
請求項１から３のいずれか一つに記載のカメラ。
【請求項５】
前記遮光部材は、前記カメラ本体と、前記カメラ本体を車両に取り付けるための取付部材との間に配置される遮光ケースである
請求項１から３のいずれか一つに記載のカメラ。
【請求項６】
前記遮光部材は、前記カメラ本体が取り付けられる車両の車体の一部である
請求項１から３のいずれか一つに記載のカメラ。
【請求項７】
光透過性材料で形成された第一のケースと、前記第一のケースに接合されて該第一のケースとともに収納空間を形成する、光吸収性材料又は光反射性材料で形成された第二のケースと、前記第二のケースに配置されたレンズと、前記収納空間に配置され前記レンズから入射した光を受光する撮像素子とを有するカメラ本体の、前記第一のケースの全体を覆うように形成された遮光部材。
【発明の詳細な説明】
【技術分野】
【０００１】
本発明は、カメラに取り付けられる光を遮る遮光部材及び遮光部材付きのカメラに関する。
【背景技術】
【０００２】
従来、例えば車載カメラのように、屋外で撮影するためのカメラが広く用いられている。このようなカメラは、例えば外装ケースと、ケース内に配置された撮像素子とケースから外部に露出するように設けられたレンズ等を有する光学ユニットとを備えており、外装ケースによってこの光学ユニットを機械的振動、衝撃や、薬品、外光等から保護している（例えば、特許文献１）。
【先行技術文献】
【特許文献】
【０００３】
【特許文献１】特開２０１５−１６１７５０号公報
【発明の概要】
【発明が解決しようとする課題】
【０００４】
このような外装ケースは、例えば２つに分割された外装ケース同士をネジ止め又は接着剤を用いて接着することにより形成される。このため、従来のカメラは、複数のネジを取り付ける工程や、接着剤を塗布し、それを乾燥、硬化させる工程が必要となるため組み立てが煩雑となっていた。
【０００５】
本発明は、このような問題に鑑みてなされたもので、その目的とするところは、高い気密性を保ちつつ組み立てが容易なカメラを得ることにある。
【課題を解決するための手段】
【０００６】
上記課題を解決するために、本発明の一態様に係るカメラは、光透過性材料で形成された第一のケース、第一のケースに接合されて該第一のケースとともに収納空間を形成する、光吸収性材料又は光反射性材料で形成された第二のケース、第二のケースに配置されたレンズ、及び収納空間に配置されレンズから入射した光を受光する撮像素子、を有するカメラ本体と、第一のケースの全体を覆うように形成された光を遮る遮光部材と、を備えることを特徴とする。
【０００７】
また、本発明の他の態様に係る遮光部材は、光透過性材料で形成された第一のケースと、第一のケースに接合されて該第一のケースとともに収納空間を形成する、光吸収性材料又は光反射性材料で形成された第二のケースと、第二のケースに配置されたレンズと、収納空間に配置されレンズから入射した光を受光する撮像素子とを有するカメラ本体の、第一のケースの全体を覆うように形成されたことを特徴とする。
【発明の効果】
【０００８】
本発明の一態様によれば、高い気密性を保ちつつ組み立てが容易なカメラを得ることができる。
【図面の簡単な説明】
【０００９】
【図１】本発明の第一実施形態に係るカメラの一構成例を示す外観斜視図である。
【図２】本発明の第一実施形態に係るカメラが取り付けられた車両の一構成例を示す模式図である。
【図３】本発明の第一実施形態に係るカメラ本体の一構成例を示す外観斜視図である。
【図４】本発明の第一実施形態に係るカメラ本体の一構成例を示す分解斜視図である。
【図５】カメラ本体に用いられる撮像素子の分光感度特性を示すグラフである。
【図６】本発明の第一実施形態に係る遮光部材の一構成例を示す六面図である。
【図７】本発明の第二実施形態に係るカメラの一構成例を示す断面図である。
【発明を実施するための形態】
【００１０】
以下、実施形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
以下、図面を参照して本発明の各実施形態について説明する。
【００１１】
１．第一実施形態
以下、第一実施形態に係る遮光部材及び遮光部材付きのカメラについて、図１から図６を用いて説明する。第一実施形態では、車両周辺の画像を取得するカメラ本体を車両に取り付けるための取付部材（以下、ブラケットという）が遮光部材として機能する場合について説明する。また、第一実施形態では、遮光部材付きカメラの一例として、カメラ本体が上述したブラケットに取り付けられた車載用のカメラについて説明する。第一実施形態において、ブラケットが取り付けられたカメラ本体を「カメラ」という。
【００１２】
＜カメラの基本構成＞
図１及び図２は、第一実施形態に係るカメラ１０の一構成例を説明するための図である。図１は、カメラ１０の前方から見た外観斜視図である。図２は、第一実施形態に係るカメラ１０が取り付けられた車両の一構成例を説明するための図である。
【００１３】
図１に示すように、カメラ１０は、カメラ本体１００とブラケット２００とを備えている。カメラ本体１００は、ブラケット２００に装着されている。ブラケット２００は、カメラ本体１００の背面側の領域（リアケース１１０の外側部分）を覆うようにカメラ本体１００に固定される。カメラ本体１００の前面側（フロントケース１２０側）は、ブラケット２００から露出する。これにより、カメラ本体１００の前面側に設けられたレンズ１３０は、ブラケット２００に覆われることなく、カメラ１０から外部に露出する。
【００１４】
図２に示すように、カメラ１０は、例えば、車両３００の車体３１０の後方部分に取り付けられて、車両３００後方の周辺画像を取得する。カメラ１０は、車両３００周辺の所望領域の画像を取得可能であれば、車体３１０のいずれの位置に取り付けられても良い。また、車体３１０には、カメラ１０の画像取得を阻害しない範囲で装飾用外装材が取り付けられていても良い。
以下、カメラ本体１００及びブラケット２００の各構成について、図１及び図２を参照しつつ図３から図５を用いて詳細に説明する。
【００１５】
［カメラの基本構成］
図３（Ａ）及び図３（Ｂ）、並びに図４（Ａ）及び図４（Ｂ）は、第一実施形態に係るカメラ本体１００の一構成例を説明するための斜視図である。図３（Ａ）はカメラ本体１００の前方から見た外観斜視図であり、図３（Ｂ）はカメラ本体１００の後方から見た外観斜視図である。図４（Ａ）はカメラ本体１００の前方から見た分解斜視図、図４（Ｂ）はカメラ本体１００の後方から見た分解斜視図である。
本実施形態では、レンズ１３０が露出するカメラ本体１００の一面を正面とし、カメラ本体１００の正面と反対側の面を背面として説明する。
【００１６】
カメラ本体１００は、第一のケースの一例であるリアケース１１０と、第二のケースの一例であるフロントケース１２０と、レンズ１３０と、撮像素子１６０とを備えている。リアケース１１０及びフロントケース１２０は、互いに接合されて内部に収納空間を有する外装用のケースとなる。フロントケース１２０にはレンズ１３０が配置されている。リアケース１１０及びフロントケース１２０で形成された収納空間Ｓには、レンズ１３０から入射した光を受光する撮像素子１６０が配置されている。撮像素子１６０は、回路基板１５０上に実装された状態で収納空間Ｓに配置されている。
以下、カメラ本体１００の各部について説明する。
【００１７】
（ケース）
カメラ本体１００は、ケースとしてリアケース１１０及びフロントケース１２０を備えている。
リアケース１１０は、カメラ本体１００の図３（Ａ）における背面側のケースである。リアケース１１０は、取付部１１２を有している。取付部１１２には、カメラ本体１００に電力を供給し、またカメラ本体１００で撮影した画像（映像）を車両に取り付けられた制御装置（例えばカーナビゲーションシステム）に対して送信するためのケーブル（不図示）が取り付けられる。リアケース１１０は、取付部１１２の側に、ケーブルをネジ止めにより固定するための固定部１１３ａ，１１３ｂを有している。
リアケース１１０は、フロントケース１２０と当接する当接部１１１を有している。当接部１１１は、例えば断面Ｌ字形状に形成されており、フロントケース１２０と嵌め合わせるための突出部を有する形状に形成されている。当接部１１１の当接面１１１ａは、フロントケース１２０と接合されている。
【００１８】
フロントケース１２０は、カメラ本体１００の図３（Ａ）における正面側のケースであり、リアケース１１０に接合されている。具体的には、フロントケース１２０は、リアケース１１０にレーザ溶着で接合されていることが好ましい。フロントケース１２０とリアケース１１０とをレーザ溶着で接合させることにより、リアケース１１０とフロントケース１２０とを容易に接合させることができる。また、フロントケース１２０とリアケース１１０との当接部分の全周が接合されることが好ましい。これにより、カメラ本体１００内部の収納空間Ｓの気密性を高く保つことができる。
【００１９】
フロントケース１２０は、レンズ１３０を外部に露出させるための開口１２０ａを有している。フロントケース１２０は、レンズ１３０を収容する鏡筒１２１を有している。
【００２０】
フロントケース１２０は、リアケース１１０と当接する当接部１２２を有している。当接部１２２の内側には、溝部１２３が設けられている。フロントケース１２０は、リアケース１１０の当接部１１１の一部が溝部１２３に嵌め合わせ可能に形成されている。例えば、当接部１１１の断面がＬ字形状に形成されている場合、当接部１１１のＬ字形状の一部である突出部が溝部１２３に嵌め合わされる。当接部１２２のリアケース１１０と当接する当接面１２２ａは、リアケース１１０の当接面１１１ａと接合される。リアケース１１０の当接部１１１とフロントケース１２０の当接部１２２とが溶着されて接合部Ｗが形成されている。
【００２１】
フロントケース１２０は、当接部１２２の内側に第一の支持部として支持部１２４を有している。支持部１２４の先端には支持部１２４と回路基板１５０とを接続するための接続層（図示せず）が設けられている。支持部１２４は、先端が接続層を介して回路基板１５０の一方の面（撮像素子１６０が実装される側の面）と当接し、回路基板１５０の外周を支持している。本実施形態では、図４（Ｂ）に示すように、フロントケース１２０には中空四角柱形状の支持部１２４が設けられている。支持部１２４は、接続層を介して矩形状の回路基板１５０の四辺に当接している。
【００２２】
フロントケース１２０及びリアケース１１０をレーザ溶着で接合するために、リアケース１１０及びフロントケース１２０のいずれか一方は、光透過性の材料で形成され、他方は光吸収性の材料で形成される。リアケース１１０の当接面１１１ａとフロントケース１２０の当接面１２２ａとを当接させ、光透過性の材料で形成されたケース側から前述の当接した箇所にレーザ光を照射する。レーザ光は透過性の材料で形成されたケースを透過し、光吸収性の材料で形成されたケースに吸収される。これにより、リアケース１１０及びフロントケース１２０の境界部分において局所的に発熱し、リアケース１１０当接面１１１ａとフロントケース当接面１２２ａとが溶着される。本実施形態では、リアケース１１０が光透過性の材料で形成され、フロントケース１２０が光吸収性の材料で形成される。レンズ１３０が配置されるフロントケース１２０は、カメラ本体１００の前面側に配置され、特に外光に晒される面となる。このため、フロントケース１２０は光を透過しない光吸収性の材料で形成される。これによりカメラ本体１００前面に配置されたレンズ１３０以外からのカメラ本体１００の内部（収納空間Ｓ）への入光を抑制することができる。
以下、リアケース１１０が光透過性の材料で形成され、フロントケース１２０が光吸収性の材料で形成された場合について説明する。
【００２３】
光透過性の材料としては、レーザ溶着時に用いるレーザ光が透過する材料であればよく、成型性の観点から樹脂材料であることが好ましい。一般的に樹脂材料同士のレーザ溶着に用いるレーザ光の波長は８００ｎｍから１２００ｎｍ程度である。光透過性の材料としては、例えばポリアミド（ＰＡ）樹脂、アクリロニトリル・ブタジエン・スチレン（ＡＢＳ）樹脂、ポリカーボネート（ＰＣ）樹脂、ポリブチレンテレフタレート（ＰＢＴ）樹脂、ポリプロピレン（ＰＰ）樹脂、ポリアセタール（ＰＯＭ）、ポリメタクリル酸メチル（ＰＭＭＡ）樹脂、ポリエーテルエーテルケトン（ＰＥＥＫ）樹脂、ポリエチレンテレフタレート（ＰＥＴ）樹脂等が挙げられる。
【００２４】
光吸収性の材料としては、レーザ溶着に用いるレーザ光及びカメラ本体１００外部からの光を透過させない材料であればよく、成型性の観点から樹脂材料であることが好ましい。光吸収性の材料としては、特に、撮像素子１６０が感度を有する波長の光を透過させない材料であればよい。
光吸収性の材料としては、例えばポリアミド（ＰＡ）樹脂、アクリロニトリル・ブタジエン・スチレン（ＡＢＳ）樹脂、ポリカーボネート（ＰＣ）樹脂、ポリブチレンテレフタレート（ＰＢＴ）樹脂、ポリプロピレン（ＰＰ）樹脂、ポリアセタール（ＰＯＭ）、ポリメタクリル酸メチル（ＰＭＭＡ）樹脂、ポリエーテルエーテルケトン（ＰＥＥＫ）樹脂、ポリエチレンテレフタレート（ＰＥＴ）樹脂等を基材とし、例えば必用に応じこれに粉末状の炭素材料等を添加し、光を吸収する特性を持たせたものが挙げられる。
【００２５】
（レンズ）
レンズ１３０は、フロントケース１２０に配置されており、撮像対象からの光をカメラ本体１００内に取り込み撮像素子１６０上に結像させる機能を有する。レンズ１３０は、例えば複数枚のレンズで構成されたレンズユニットであっても良い。レンズ１３０は、フロントケース１２０の鏡筒１２１内に配置されている。レンズ１３０は、開口１２０ａからカメラ本体１００の外部に露出し、カメラ本体１００の前面側にレンズ面１３０ａを向けて配置される。レンズ面１３０ａは、光の入射面となる。レンズ１３０のレンズ面１３０ａと反対側の面（背面）は、光の出射面となる。レンズ１３０の背面には、映し出すべき画とは違う光が画像に現れる原因となることから撮像素子１６０において不要な光となる赤外光の透過を制限するための赤外線カットフィルタ１４０が設けられている。
【００２６】
（撮像素子）
撮像素子１６０は、リアケース１１０とフロントケース１２０とで形成された収納空間Ｓに配置される。撮像素子１６０は、レンズ１３０側の表面（撮像面）に受光素子を有しており、レンズ１３０から入射した光を受光して電気信号に変換する。撮像素子１６０としては、例えばＣＣＤ（Charge Coupled Device：電荷結合素子）イメージセンサやＣＭＯＳ（Complementary MOS：相補性金属酸化膜半導体）イメージセンサ、又はその他の固体撮像素子イメージセンサが用いられる。
【００２７】
（回路基板）
回路基板１５０は、撮像素子１６０及び電源モジュール１７０、並びに各電子部品が電気的に接続されて構成されている。回路基板１５０のレンズ１３０側の面には、撮像素子１６０が接続されている。また、回路基板１５０のレンズ１３０と反対側の面には、電源モジュール１７０及び各電子部品が接続されている。回路基板１５０は、リアケース１１０の取付部１１２に取り付けられたケーブルの接続端子と電気的に接続される。電源モジュール１７０は、ケーブルを介して供給される電力を制御し、撮像素子１６０を駆動する。
【００２８】
（接続層）
フロントケース１２０の支持部１２４と回路基板１５０との間には、接続層が備えられる。接続層は、接着剤が固化して形成され、支持部１２４と回路基板１５０とを接着する。
【００２９】
［ブラケットの基本構成］
以下、ブラケット２００の機能について図５を用いて説明する。
図５は撮像素子１６０の分光感度特性の一例を示すグラフである。なお、図５において、点線で示す特性は青色光（Ｂ）の分光感度特性、一点鎖線で示す特性は緑色光（Ｇ）の分光感度特性、二点鎖線で示す特性は赤色光（Ｒ）の分光感度特性である。
【００３０】
前述の通りリアケース１１０とフロントケース１２０とをレーザ溶着により接合するために、リアケース１１０及びフロントケース１２０のいずれか一方は光透過性材料で形成されている。レーザ溶着では、８００ｎｍから１２００ｎｍ程度の可視光よりもやや長い波長のレーザ光を発光するダイオードレーザやＹＡＧレーザが一般的に用いられる。このため、光透過性材料で形成されたケースは、レーザ光の波長範囲を含む波長の光を透過する。
【００３１】
一方、自然光は、３００ｎｍから３０００ｎｍ程度の広い波長範囲の光を含んでいる。このため、光透過性材料で形成された一方のケースは、カメラ本体１００の使用時にレーザ光の波長を含む波長範囲の自然光も透過させてしまう。
図５に示すように、撮像素子１６０は、可視光の範囲の波長（４００ｎｍから７５０ｎｍ程度）のみでなく、可視外光の範囲の波長（７５０ｎｍ超）に対しても感度を有している。このため、カメラ１０の動作時にレンズ１３０以外から入射した光（自然光）が撮像素子１６０に入光すると、この光が撮像素子１６０によって捉えられてしまう。この光は、出力画像に例えば被写体の画像の上に不定形の光の筋等のノイズとして現れる。これにより被写体の認識精度は低下してしまう。
【００３２】
そこで、本実施形態では、光を遮るブラケット２００を形成し、ブラケット２００が光透過性材料で形成されたケース（図１ではリアケース１１０）を覆うようにしてカメラ本体１００に取り付けるようにした。これにより、ブラケット２００は、光透過性材料で形成されたケースを介してカメラ本体１００の収納空間Ｓに光（自然光）が入射することを防止することができる。ブラケット２００は、カメラ本体１００で撮影した画像上に現れる前述のノイズを防止する。
以下、ブラケット２００の構成について詳細に説明する。
【００３３】
図６（Ａ）から図６（Ｅ）は、第一実施形態に係るブラケット２００の一構成例を説明するための六面図である。図６（Ａ）は、ブラケット２００の正面図、図６（Ｂ）はブラケット２００の平面図（上面図）、図６（Ｃ）はブラケット２００の底面図、図６（Ｄ）はブラケット２００の左側面図、図６（Ｅ）はブラケット２００の背面図である。図６（Ａ）〜図６（Ｅ）の六面図において、ブラケット２００の右側面図は省略している。ブラケット２００の右側面図は、図６（Ｄ）に示すブラケット２００の左側面図と左右対称である。
なお、図６（Ａ）に示すブラケット２００の正面は車両３００の周辺を向く方向であり、図６（Ｅ）に示すブラケット２００の背面は車両３００の方向である。
【００３４】
図６（Ａ）から図６（Ｅ）に示すように、ブラケット２００は、カメラ挿入部２１０と、鍔部２２０と、取付部２３０ａ及び２３０ｂと、壁部２４０とを備えている。ブラケット２００は、例えば、カメラ挿入部２１０と、鍔部２２０と、取付部２３０ａ及び２３０ｂと、壁部２４０とが一体に形成されている。
上述したカメラ本体１００は、カメラ挿入部２１０に挿入されてブラケット２００に取り付けられる。ブラケット２００は、取付部２３０ａ及び２３０ｂにより車両３００の車体３１０に取り付けられる。
【００３５】
ブラケット２００は、例えば樹脂材料を用いた射出成形により形成されていることが好ましい。ブラケット２００は、光を遮る（透過させない）機能を有していればよい。このため、ブラケット２００は、例えば光吸収性の樹脂材料により形成されている。また、ブラケット２００は、樹脂材料と遮光層とにより形成されていても良い。
遮光層を有するブラケット２００は、例えば、樹脂材料を用いて形成された成形体の外表面及び内表面の少なくとも一方に、遮光層が形成された構成であっても良い。遮光層としては、光（自然光）を反射する反射層又は外光を吸収する光吸収層の少なくとも一方が挙げられる。反射層は、例えば金属材料で形成された金属層である。光吸収層は、例えば炭素材料を含む樹脂層である。
【００３６】
光吸収性の材料としては、例えばポリアミド（ＰＡ）樹脂、アクリロニトリル・ブタジエン・スチレン（ＡＢＳ）樹脂、ポリカーボネート（ＰＣ）樹脂、ポリブチレンテレフタレート（ＰＢＴ）樹脂、ポリプロピレン（ＰＰ）樹脂、ポリアセタール（ＰＯＭ）、ポリメタクリル酸メチル（ＰＭＭＡ）樹脂、ポリエーテルエーテルケトン（ＰＥＥＫ）樹脂、ポリエチレンテレフタレート（ＰＥＴ）樹脂等を基材とし、例えば必用に応じこれに粉末状の炭素材料等を添加し、光を吸収する特性を持たせたものが挙げられる。
また、金属材料としては、光を遮り、樹脂材料の表面にめっき又はスパッタ等により金属膜を形成可能であればどのような材料であっても良い。
以下、ブラケット２００の各部の構成について説明する。
【００３７】
（カメラ挿入部）
カメラ挿入部２１０は、ブラケット２００の正面側に設けられ、ブラケット２００の正面側に開口を有する中空柱形状を有している。カメラ挿入部２１０は、カメラ本体１００のリアケース１１０を覆う形状を有している。カメラ挿入部２１０は、カメラ本体１００の外形に沿った形状であればよい。本実施形態では、中空四角柱形状のカメラ挿入部２１０を一例として示している。
【００３８】
（鍔部）
鍔部２２０は、カメラ挿入部２１０と交差する方向にはみだすように張り出して形成されている。鍔部２２０は、ブラケット２００が車体３１０に取り付けられた際に、車体３１０の表面に当接する。
【００３９】
（取付部）
取付部２３０ａ，２３０ｂは、ブラケット２００を車両３００の車体３１０に取り付けるために設けられている。取付部２３０ａ，２３０ｂは、鍔部２２０からブラケット２００の後方に向けて突出した突出部２３２ａ，２３２ｂをそれぞれ有している。また、取付部２３０ａ，２３０ｂは、突出部２３２ａ，２３２ｂの外側面に設けられた係合部２３４ａ，２３４ｂをそれぞれ有している。
【００４０】
突出部２３２ａ，２３２ｂは、例えば板金で形成された車体３１０に設けられた開口（不図示）に挿入可能に形成されている。
係合部２３４ａ，２３４ｂは、突出部２３２ａ，２３２ｂが開口に挿入された際に広がり、車体３１０の背面側（車両３００の内部側）で開口１２の外周方向にはみ出して車体３１０引っ掛かるように形成されている。このような係合部２３４ａ，２３４ｂを有することにより、ブラケット２００が車体３１０に取り付け可能となる。
なお、取付部は二つに限られたものではなく、三つ以上形成されていても良い。また、取付部は、車体３１０に取り付け可能であれば一つであっても良い。
【００４１】
（壁部）
壁部２４０は、挿入口２１０ａ内において、カメラ挿入部２１０の挿入口２１０ａの空間を正面側と背面側に区画するように設けられている。壁部２４０は、カメラ本体１００がカメラ挿入部２１０に挿入された場合に、カメラ本体１００の背面と対向する位置に設けられている。
壁部２４０は、例えば、壁部２４０の中央部に設けられた開口２４２と、開口２４２の周辺に形成されたネジ孔２４４ａ，２４４ｂ及び孔部２４６ａ，２４６ｂを有している。
【００４２】
開口２４２は、カメラ本体１００のケーブル取付部１１２にケーブルを取り付ける際に、ケーブルが挿入される挿入口である。
ネジ孔２４４ａ，２４４ｂは、カメラ本体１００とブラケット２００とを固定するネジを挿入するための孔である。
孔部２４６ａ，２４６ｂは、カメラ本体１００の位置合わせを行うための孔である。孔部２４６ａ，２４６ｂは、カメラ本体１００の背面に設けられた突出部１１４ａ，１１４ｂがそれぞれ嵌め合わせ可能に形成される。
【００４３】
＜第一実施形態の効果＞
第一実施形態に係るカメラ１０は、以下の効果を有する。
（１）リアケース１１０及びフロントケース１２０をレーザ溶着等により容易に接合することを可能としつつ、光透過性のケースを覆い光を遮るブラケット２００を配置したため、外光がカメラ本体１００に入光することを防止し、出力画像のノイズを防止することができる。
（２）カメラ本体１００は、フロントケース１２０とリアケース１１０との当接面の全面がレーザ溶着等により接合されるため、カメラ本体１００内部の高い気密性を保つことができる。
（３）カメラ本体１００は、リアケース１１０及びフロントケース１２０をレーザ溶着等により接合するため、ネジや接着剤等を用いる必要がなく、低コスト化が可能である。
【００４４】
２．第二実施形態
以下、本発明の第二実施形態について、図１から図６を参照しつつ、図７（Ａ）及び図７（Ｂ）を用いて説明する。図７（Ａ）は、第二実施形態に係るカメラ２０の構成を示す分解斜視図である。図７（Ｂ）は、カメラ２０がブラケット２００Ａに取り付けられた状態を示す断面図である。
第二実施形態に係るカメラ２０は、カメラ本体１００とブラケット２００Ａとの間に配置される光を遮る遮光ケース４００を有し、遮光ケース４００が遮光部材として機能する点で第一実施形態に係るカメラ１０と相違する。なお、本実施形態のブラケット２００Ａは、第一実施形態に係るブラケット２００と異なり、遮光機能の有無は問わない。
【００４５】
第二実施形態では、遮光部材付きカメラ２０の一例として、カメラ本体１００が上述した遮光ケース４００に取り付けられた車載用のカメラについて説明する。第二実施形態において、遮光ケース４００が取り付けられたカメラ本体１００を「カメラ」という。すなわち、カメラ２０は、別部材であるブラケット２００Ａを用いることにより車両３００に取り付けられる。
【００４６】
＜カメラの構成＞
カメラ２０は、カメラ本体１００と遮光ケース４００とを有する。ここで、カメラ本体１００は第一実施形態に係るカメラ１０のカメラ本体１００と同様の構成であるため、説明を省略する。
【００４７】
（遮光ケース）
図７（Ａ）及び図７（Ｂ）に示すように、遮光ケース４００は、カメラ本体１００を後方から覆う形状を有している。すなわち、遮光ケース４００は、カメラ本体１００のうち、光透過性材料で形成されたリアケース１１０を覆っている。図７（Ｂ）に示すように、遮光ケース４００が取り付けられたカメラ本体１００は、ブラケット２００Ａに挿入される。カメラ本体１００とブラケット２００Ａとは、遮光ケース４００を介して取り付けられる。
【００４８】
遮光ケース４００は、例えば、リアケース１１０の側面に対向する枠形状の側壁部４１０と、リアケース１１０の背面に対向する後壁部４２０とを備えている。
図７（Ａ）に示すように、後壁部４２０は、リアケース１１０のケーブル取付部１１２と対向する位置に開口４２２を有している。また、遮光ケース４００は、開口４２２の周辺に形成された孔部４２４ａ，４２４ｂを有している。孔部４２４ａ，４２４ｂは、カメラ本体１００の背面に設けられた突出部１１４ａ，１１４ｂがそれぞれ嵌め合わせ可能に形成される。
【００４９】
リアケース１１０のケーブル取付部１１２は、遮光ケース４００の開口４２２を介してカメラ２０の後方に露出している。これにより、遮光ケース４００は、ケーブル取付部１１２と図示しないケーブルとの接続を阻害せずに、光（自然光）のカメラ本体１００内への入光を防止することができる。また、ケーブルは、一般的に、遮光性を有する材料で形成されている。このため、カメラ本体１００の後方に露出したケーブル取付部１１２は、図示しないケーブルが取り付けられることにより、光（自然光）のカメラ本体１００内への入光が防止される。
【００５０】
遮光ケース４００は、第一実施形態に係るブラケット２００と同様に、例えば樹脂材料を用いた射出成形により形成されていることが好ましい。このため、遮光ケース４００は、例えば光吸収性の樹脂材料により形成されていることが好ましく、樹脂材料と遮光層とにより形成されていても良い。
この場合、遮光ケース４００は、例えば、樹脂材料を用いた射出成形により形成されたブラケット前駆体の外側面又は内側面に、遮光層を形成することにより得られる。遮光層としては、光（自然光）を反射する反射層又は外光を吸収する光吸収層の少なくとも一方が挙げられる。反射層は、例えば金属材料で形成された金属層である。光吸収層は、例えば炭素材料を含む樹脂層である。
【００５１】
光吸収性の材料としては、例えばポリアミド（ＰＡ）樹脂、アクリロニトリル・ブタジエン・スチレン（ＡＢＳ）樹脂、ポリカーボネート（ＰＣ）樹脂、ポリブチレンテレフタレート（ＰＢＴ）樹脂、ポリプロピレン（ＰＰ）樹脂、ポリアセタール（ＰＯＭ）、ポリメタクリル酸メチル（ＰＭＭＡ）樹脂、ポリエーテルエーテルケトン（ＰＥＥＫ）樹脂、ポリエチレンテレフタレート（ＰＥＴ）樹脂等を基材とし、例えば必用に応じこれに粉末状の炭素材料等を添加し、光を吸収する特性を持たせたものが挙げられる。
また、金属材料としては、光を遮り、樹脂材料の表面にめっき又はスパッタ等により金属膜を形成可能であればどのような材料であっても良い。
なお、遮光部材として遮光ケース４００を用いる場合、ブラケット２００Ａの遮光機能の有無は問わない。
【００５２】
＜第二実施形態における効果＞
第二実施形態に係るカメラ２０は、第一実施形態における効果（１）〜（３）に加えて、以下の効果を有する。
（４）カメラ２０では、遮光ケース４００が光透過性の材料で形成されたリアケース１１０を覆っている。このため、遮光ケース４００により外光がカメラ本体１００に入光することを防止し、出力画像のノイズを防止することができる。
（５）カメラ２０では、遮光部材として遮光ケース４００を有するため、ブラケット２００Ａは遮光機能を有していても良く、遮光機能を有していなくても構わない。このため、遮光ケース４００を有するカメラ２０は、遮光機能を有さない従来のブラケットと組み合わせて使用されることも可能となり、高い汎用性を有する。
【００５３】
３．他の実施形態
遮光部材の一例として、第一実施形態ではブラケット２００を、第二実施形態では遮光ケース４００を説明したが、遮光部材はこれらに限られない。例えば、遮光部材は、カメラが取り付けられる車両の車体の一部であっても良い。
例えば、図２に示す車両３００の車体３１０の一部が、カメラ本体１００が挿入されたブラケットを覆う形状に形成されることで、遮光部材として機能しても良い。この場合、ブラケットの遮光機能の有無は問わない。
【００５４】
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００５５】
１０，２０  カメラ
１００  カメラ本体
１１０  リアケース
１１１  当接部
１１１ａ  当接面
１１２  ケーブル取付部
１１３ａ，１１３ｂ  固定部
１２０  フロントケース
１２０ａ  開口
１２１  鏡筒
１２２  当接部
１２２ａ  当接面
１２３  溝部
１２４，１２５  支持部
１３０  レンズ
１３０ａ  レンズ面
１４０  フィルタ
１５０  回路基板
１６０  撮像素子
２００，２００Ａ  ブラケット
２１０  カメラ挿入部
２２０  鍔部
２３０ａ及び２３０ｂ  取付部
２４０  壁部
３００  車両
３１０  車体
４００  遮光ケース
【図１】
2020150475.tif 000003
【図２】
2020150475.tif 000004
【図３】
2020150475.tif 000005
【図４】
2020150475.tif 000006
【図５】
2020150475.tif 000007
【図６】
2020150475.tif 000008
【図７】
2020150475.tif 000009